(57)【要約】【課題】固気分離した粉粒体を精度よく計量することのできる、固気分離兼計量装置を提供すること。【解決手段】気体中の粉粒体を固気分離し、固気分離した粉粒体を計量する固気分離兼計量装置１であって、サイクロン装置２、サイクロン装置２が設けられ、固気分離された粉粒体を受け入れるためのホッパ３、ホッパ３を計量するためのロードセル４、サイクロン装置２の入口側および出口側に接続される入口側フレキシブルチューブ５および出口側フレキシブルチューブ６を備え、出口側フレキシブルチューブ６を、入口側フレキシブルチューブ５に対してサイクロン装置２を挟むように配置し、それらを上下方向において略同一位置に配置し、入口側フレキシブルチューブ５が延びる方向Ｄ１に沿って固気分離装置を投影したときに、その投影面内に出口側フレキシブルチューブ６の上流側端部を配置する。【選択図】図２
2011020756.tif 000002
【特許請求の範囲】
【請求項１】
気体中の粒体を固気分離し、固気分離した粉粒体を計量する固気分離兼計量装置であって、
気体中の粉粒体を固気分離するための固気分離装置、
前記固気分離装置が設けられ、それによって固気分離された粉粒体を受け入れるためのホッパ、
前記ホッパを計量するためのロードセル、
前記固気分離装置の入口側に接続される入口側フレキシブルチューブ、および、
前記固気分離装置の出口側に接続される出口側フレキシブルチューブを備え、
前記出口側フレキシブルチューブは、前記入口側フレキシブルチューブに対して前記固気分離装置を挟むように配置され、
前記入口側フレキシブルチューブと前記出口側フレキシブルチューブとは、上下方向において略同一位置に配置され、
前記入口側フレキシブルチューブが延びる方向に沿って前記固気分離装置を投影したときに、その投影面内に前記出口側フレキシブルチューブの上流側端部が配置されていることを特徴とする、固気分離兼計量装置。
【請求項２】
前記入口側フレキシブルチューブが延びる方向と、前記出口側フレキシブルチューブが延びる方向とが、略平行であることを特徴とする、請求項１に記載の固気分離兼計量装置。
【請求項３】
前記入口側フレキシブルチューブの長さと、前記出口側フレキシブルチューブの長さとは、略同一であることを特徴とする、請求項１または２に記載の固気分離兼計量装置。
【請求項４】
前記ロードセルを介して前記ホッパを支持する支持台を備え、
前記入口側フレキシブルチューブの搬送方向上流側端部と、前記出口側フレキシブルチューブの搬送方向下流側端部とが、前記支持台に支持されていることを特徴とする、請求項１〜３のいずれかに記載の固気分離兼計量装置。
【発明の詳細な説明】
【技術分野】
【０００１】
本発明は、固気分離兼計量装置、詳しくは、気体中の粉粒体を固気分離し、計量する固気分離兼計量装置に関する。
【背景技術】
【０００２】
従来より、気体中の粉粒体を固気分離し、計量する固気分離兼計量装置が知られている。
例えば、可撓性材料から形成される輸送パイプおよび吸引パイプが接続され、内部に濾材が設けられ、鉛直方向に延びる円筒形状のホッパにおいて、吸引パイプの下流端に接続される吸引装置の駆動によって、粉粒体を含む気体を、輸送パイプから吸い込みながら、濾材により粉粒体を固気分離し、その後、粉粒体が受け入れられたホッパをホッパの下方に設けられる計量機により計量することにより、ホッパ内の粉粒体を計量することが提案されている（例えば、特許文献１参照。）。
【０００３】
また、特許文献１の装置では、吸引パイプが、ホッパの上端に接続され、輸送パイプが、ホッパの上下方向途中に接続されている。さらに、輸送パイプは、ホッパの外周において接線方向に接続され、吸引パイプは、ホッパの中心において径方向に接続されている。
【先行技術文献】
【特許文献】
【０００４】
【特許文献１】特公昭４９−５７９６号公報
【発明の概要】
【発明が解決しようとする課題】
【０００５】
しかるに、特許文献１の装置では、吸引装置を駆動させて、それに連通する輸送パイプおよび吸引パイプの内部空間が減圧されると、輸送パイプおよび吸引パイプは、可撓性材料から形成されていることから、ともに収縮する。
すると、輸送パイプおよび吸引パイプの鉛直方向の位置が異なるため、ホッパは、それらの収縮に伴って、ホッパの鉛直方向の位置が変位する場合がある。
【０００６】
さらに、輸送パイプは、ホッパの外周において接線方向に沿って接続され、吸引パイプは、ホッパの中心において径方向に接続されているため、ホッパは、それらの収縮に伴って、水平方向の位置が変位する場合がある。
その結果、ホッパの鉛直方向および水平方向の位置が不安定となり、ホッパを精度よく計量できず、さらには、固気分離した粉粒体を精度よく計量することができない場合がある。
【０００７】
本発明の目的は、固気分離した粉粒体を精度よく計量することのできる、固気分離兼計量装置を提供することにある。
【課題を解決するための手段】
【０００８】
上記の目的を達成するために、本発明の粉粒体兼計量装置は、気体中の粉粒体を固気分離し、固気分離した粉粒体を計量する固気分離兼計量装置であって、気体中の粉粒体を固気分離するための固気分離装置、前記固気分離装置が設けられ、それによって固気分離された粉粒体を受け入れるためのホッパ、前記ホッパを計量するためのロードセル、前記固気分離装置の入口側に接続される入口側フレキシブルチューブ、および、前記固気分離装置の出口側に接続される出口側フレキシブルチューブを備え、前記出口側フレキシブルチューブは、前記入口側フレキシブルチューブに対して前記固気分離装置を挟むように配置され、前記入口側フレキシブルチューブと前記出口側フレキシブルチューブとは、上下方向において略同一位置に配置され、前記入口側フレキシブルチューブが延びる方向に沿って前記固気分離装置を投影したときに、その投影面内に前記出口側フレキシブルチューブの上流側端部が配置されていることを特徴としている。
【０００９】
固気分離兼計量装置では、出口側フレキシブルチューブに接続される吸引装置、または、入口側フレキシブルチューブに接続される送風装置を設けて、吸引装置または送風装置を駆動させた場合には、出口側フレキシブルチューブおよび入口側フレキシブルチューブが収縮または伸長しようする。
そして、本発明の固気分離兼計量装置では、出口側フレキシブルチューブは、入口側フレキシブルチューブに対して固気分離装置を挟むように配置され、入口側フレキシブルチューブと出口側フレキシブルチューブとが上下方向において略同一位置に配置されている。そのため、収縮または伸縮により出口側フレキシブルチューブがホッパに与える応力と、収縮または伸縮により入口側フレキシブルチューブがホッパに与える応力とが、鉛直方向で同じ位置において作用されて、互いに打ち消される。
【００１０】
その結果、ホッパの鉛直方向の位置を安定して確保することができる。
また、入口側フレキシブルチューブが延びる方向に沿って固気分離装置に投影したときに、その投影面内に出口側フレキシブルチューブの上流側端部が配置されている。そのため、上記した吸引装置または送風装置の駆動により、入口側フレキシブルチューブと出口側フレキシブルチューブとは、ともに収縮または伸長しても、それにより、出口側フレキシブルチューブがホッパに与える応力と、入口側フレキシブルチューブがホッパに与える応力とが、水平方向において互いに打ち消される。
【００１１】
その結果、ホッパの水平方向の位置を安定して確保することできる。
従って、ホッパの鉛直方向および水平方向の位置を安定して確保することができ、これにより、固気分離した粉粒体を精度よく計量することができる。
また、本発明の固気分離兼計量装置では、前記入口側フレキシブルチューブが延びる方向と、前記出口側フレキシブルチューブが延びる方向とが、略平行であることが好適である。
【００１２】
この固気分離兼計量装置では、入口側フレキシブルチューブの伸縮方向と、出口側フレキシブルチューブの伸縮方向とは、略平行である。そのため、それらに基づく応力は、互いに確実に打ち消される。
そのため、ホッパの水平方向の位置をより一層安定して確保することできる。
また、本発明の固気分離兼計量装置では、前記入口側フレキシブルチューブの長さと、前記出口側フレキシブルチューブの長さとは、略同一であること好適である。
【００１３】
この固気分離兼計量装置では、吸引装置または送風装置の駆動により、入口側フレキシブルチューブと出口側フレキシブルチューブとが収縮または伸長しても、それらの長さが略同一であるため、それらの収縮の範囲または伸長の範囲が略同一である。そのため、収縮または伸長により入口側フレキシブルチューブがホッパに与える応力と、収縮または伸長により出口側フレキシブルチューブがホッパに与える応力とは、略同一の大きさとなり、それらは確実に打ち消される。
【００１４】
その結果、ホッパの水平方向および鉛直方向の位置をより一層安定して確保することできる。
また、本発明の固気分離兼計量装置では、前記ロードセルを介して前記ホッパを支持する支持台を備え、前記入口側フレキシブルチューブの搬送方向上流側端部と、前記出口側フレキシブルチューブの搬送方向下流側端部とが、前記支持台に支持されていること好適である。
【００１５】
この固気分離兼計量装置において、入口側フレキシブルチューブと、出口側フレキシブルチューブと、ホッパとが、同じ支持台に支持されている。そのため、入口側フレキシブルチューブと出口側フレキシブルチューブとホッパとの相対配置を精度よく確保することができる。
【発明の効果】
【００１６】
本発明の固気分離兼計量装置によれば、ホッパの鉛直方向および水平方向の位置を安定して確保することができ、これにより、固気分離した粉粒体を精度よく計量することができる。
【図面の簡単な説明】
【００１７】
【図１】本発明の固気分離兼計量装置の一実施形態の側面図である。
【図２】図１に示す固気分離兼計量装置の平面図である。
【図３】本発明の固気分離兼計量装置の他の実施形態（出口側フレキシブルチューブがサイクロン装置の接線方向に沿って配置される態様）の平面図である。
【図４】本発明の固気分離兼計量装置の他の実施形態（入口側フレキシブルチューブと出口側フレキシブルチューブとが同一直線上に配置される態様）の平面図である。
【図５】本発明の固気分離兼計量装置の他の実施形態（入口側フレキシブルチューブと出口側フレキシブルチューブとの軸線が交差する態様）の平面図である。
【発明を実施するための形態】
【００１８】
図１は、本発明の固気分離兼計量装置の一実施形態の側面図、図２は、図１に示す固気分離兼計量装置の平面図である。
なお、以下の説明において、空気および粉粒体（例えば、ペレットなど。）の搬送方向上流側および搬送方向下流側を、単に「上流側」および「下流側」という。
図１および図２において、この固気分離兼計量装置１は、気体中の粉粒体を固気分離し、固気分離した粉粒体を計量する固気分離兼計量装置である。
【００１９】
この固気分離兼計量装置１は、固気分離装置としてのサイクロン装置２、サイクロン装置２が設けられるホッパ３、ホッパ３を計量するためのロードセル４、サイクロン装置２の入口側（空気および粉粒体の搬送方向上流側）に接続される入口側フレキシブルチューブ５、および、サイクロン装置２の出口側（空気および粉粒体の搬送方向下流側）に接続される出口側フレキシブルチューブ６を備えている。
【００２０】
サイクロン装置２は、気体中の粉粒体を固気分離する。サイクロン装置２は、固気分離兼計量装置１の上部で、平面視略中央に設けられ、鉛直方向に延びる略円筒形状をなしている。
サイクロン装置２は、鉛直方向に延びる略円筒形状の第１本体部１０と、第１本体部１０の上端部を閉鎖する第１蓋部１１と、第１本体部１０の側面に接続される第１接続管７と、第１蓋部１１の上面に接続される第２接続管８と、第１本体部１０の側面に設けられる第３接続管９とを備えている。
【００２１】
第１本体部１０は、例えば、ステンレスや鉄鋼などの剛性材料から形成されている。また、第１本体部１０は、鉛直方向に軸線Ｘを有する略円筒形状に形成されている。
第１蓋部１１は、例えば、上記と同様の剛性材料から形成されている。また、第１蓋部１１は、平面視略円板形状に形成されている。
第１接続管７は、例えば、上記と同様の剛性材料から形成されている。第１接続管７は、第１本体部１０の上下方向途中（中央）において、水平方向に延びており、より具体的には、第１接続管７が第１本体部１０の接線方向Ｄ３に沿うように、第１接続管７の下流側端部が第１本体部１０の側面と接続されている。また、第１接続管７の上流側端部は、後述する入口側フレキシブルチューブ５と接続される。
【００２２】
第２接続管８は、例えば、シリコーン樹脂などの可撓性材料から形成されている。
第２接続管８の上流側端部は、第１蓋部１１の中央に接続されており、これにより、第２接続管８は、第１本体部１０に連通している。また、第２接続管８の下流側端部は、次に述べる第３接続管９と接続される。
また、第２接続管８は、搬送方向途中部において、第１蓋部１１の上方および第１本体部１０の側方において、それらと間隔を隔てて迂回するように、側面視および平面視略Ｕ字形状に形成されている。
【００２３】
第３接続管９は、例えば、上記した剛性材料から形成されている。第３接続管９は、３つの口部が形成されるＴ字管であって、上記した口部うちの１つの口部が第１本体部１０に固定されている。
すなわち、第３接続管９には、互いに対向配置される第１口部２９および第３口部３１と、第１口部２９および第３口部３１の間の直管部（分岐点）からＴ字状に分岐する分岐管の端部に設けられる第２口部３０とが形成されている。
【００２４】
そして、第２口部３０は、第２接続管８の下流側端部と接続される。また、第１口部２９は、後述する出口側フレキシブルチューブ６の上流側端部と接続される。
一方、第３口部３１は、第１本体部１０の外側面に固定される固定端部とされ、第１本体部１０の外側面によって閉鎖される。
また、第３接続管９において、第１口部２９および第３口部３１の対向方向Ｄ４は、第１本体部１０の径方向に沿い（つまり、第１本体部１０の軸線Ｘに向かい）、かつ、第１接続管７が第１本体部１０に接続する接線方向Ｄ３と略平行している。
【００２５】
さらに、第１接続管７と第３接続管９とは、上記した第１接続管７が第１本体部１０に接続する接線方向Ｄ３に直交する方向に投影したときには、第１本体部１０の軸線Ｘを挟むように配置されている。つまり、第１接続管７と第３接続管９とは、第１接続管７の第１本体部１０に対する接線方向Ｄ３における、第１本体部１０の軸線Ｘの両側に配置されている。
【００２６】
ホッパ３は、サイクロン装置２によって固気分離された粉粒体を受け入れる。ホッパ３は、サイクロン装置２の下部に設けられている。また、ホッパ３は、鉛直方向に投影したときに、サイクロン装置２を含んでいる。ホッパ３は、第２本体部２２と、第２蓋部２３と、アーム部２５と、エアバイブレータ１４と、排出部２４とを備えている。
第２本体部２２は、例えば、上記と同様の剛性材料から形成されている。第２本体部２２は、第１本体部１０の軸線Ｘを共有しており、上部分が、円筒形状に形成され、上部分の下端部に連続する下部分が、上側から下側へ向かうに従って次第に縮径される略円錐筒形状に形成されている。
【００２７】
第２蓋部２３は、平面視略円環板形状に形成されており、第２本体部２２の上端部を閉鎖している。また、第２蓋部２３の内周には、上記した第１本体部１０の下端部が接続されている。これにより、第１本体部１０と第２本体部２２とは、互いに連通している。
アーム部２５は、第２本体部２２の上部分の上端部の外側面に設けられており、第２本体部２２の周方向に等間隔を隔てて複数（３本）設けられている。各アーム部２５は、水平方向に延びており、具体的には、第２本体部２２の上部分の外側面から径方向外側に向かって延びる、平面視略矩形状に形成されている。
【００２８】
エアバイブレータ１４は、第２本体部２２の下部分に設けられ、具体的には、第２本体部２２の下部分の外側面に固定されている。
排出部２４は、第２本体部２２の下側に設けられている。排出部２４は、排出部２４の上部に設けられる第１排出弁２６と、第１排出弁２６の下側に設けられる排出シュート２７と、排出シュート２７の下側に設けられる第２排出弁２８とを備えている。
【００２９】
排出シュート２７は、鉛直方向に延びる略円筒形状に形成されており、排出シュート２７の上端部が、第１排出弁２６に接続され、排出シュート２７の下端部が、第２排出弁２８に接続されている。排出シュート２７は、第１排出弁２６を介して第２本体部２２の下部分の下端部に接続されている。
第２排出弁２８の下流側には、例えば、成形機などの他の処理装置（図示せず）が接続される。
【００３０】
ロードセル４は、アーム部２５と、枠部１８（後述）および橋部３２（後述）との間に複数設けられており、各ロードセル４は、各アーム部２５の下面と接触するようにそれぞれ配置されている。
入口側フレキシブルチューブ５は、可撓性を有するフレキシブルチューブである。入口側フレキシブルチューブ５としては、固気分離兼計量装置１の処理容量やスケールなどによって適宜選択され、例えば、直管を、その軸線に沿う方向の断面視で波（蛇腹）形状に成形加工されたものなどが用いられる。なお、入口側フレキシブルチューブ５を形成する材料としては、特に限定されず、例えば、ステンレスなどが用いられる。
【００３１】
より具体的には、入口側フレキシブルチューブ５は、入口側フレキシブルチューブ５が延びる方向Ｄ１（図１における左右方向、図２における水平方向。）に伸縮自在である。詳しくは、入口側フレキシブルチューブ５は、後述する吸引ブロワ（図示せず）の駆動に起因する入口側フレキシブルチューブ５の内部空間の減圧によって、入口側フレキシブルチューブ５が延びる方向Ｄ１に収縮自在である。
【００３２】
入口側フレキシブルチューブ５は、水平方向に沿って直線状に延びるように配置されている。また、入口側フレキシブルチューブ５の下流側端部は、第１接続管７に接続されている。これにより、入口側フレキシブルチューブ５は、第１本体部１０に第１接続管７を介して連通している。
また、入口側フレキシブルチューブ５は、平面視および側面視において、第１接続管７と同一直線上に配置されている。これによって、入口側フレキシブルチューブ５は、サイクロン装置２に対して接線方向に延びるように配置される。
【００３３】
また、入口側フレキシブルチューブ５の寸法は、固気分離兼計量装置１の処理容量やスケールなどによって適宜選択される。
また、入口側フレキシブルチューブ５の上流側端部には、第４接続管２０の下流側端部が接続されている。
第４接続管２０は、例えば、上記と同様の剛性材料から形成されている。また、第４接続管２０の上流側端部には、粉粒体が貯蔵された図示しない貯蔵タンクが接続される。
【００３４】
出口側フレキシブルチューブ６は、可撓性を有するフレキシブルチューブである。出口側フレキシブルチューブ６としては、固気分離兼計量装置１の処理容量やスケールなどによって適宜選択され、例えば、直管を、その軸線に沿う方向の断面視で波（蛇腹）形状に成形加工されたものなどが用いられる。なお、出口側フレキシブルチューブ６を形成する材料としては、特に限定されず、例えば、ステンレスなどが用いられる。
【００３５】
出口側フレキシブルチューブ６は、出口側フレキシブルチューブ６が延びる方向Ｄ２（図１における左右方向、図２における水平方向。）に伸縮自在である。詳しくは、出口側フレキシブルチューブ６は、後述する吸引ブロワ（図示せず）の駆動に起因する出口側フレキシブルチューブ６の内部空間の減圧によって、出口側フレキシブルチューブ６が延びる方向Ｄ２に収縮自在である。
【００３６】
また、出口側フレキシブルチューブ６は、水平方向に沿って直線状に延びるように配置されている。出口側フレキシブルチューブ６の上流側端部は、第３接続管９の第１口部２９に接続されている。これにより、出口側フレキシブルチューブ６は、第１本体部１０に第３接続管９および第２接続管８を介して連通している。
これにより、出口側フレキシブルチューブ６では、入口側フレキシブルチューブ５が延びる方向Ｄ１に沿ってサイクロン装置２を投影したときに、その投影面内に出口側フレキシブルチューブ６の上流側端部が配置されている。
【００３７】
また、出口側フレキシブルチューブ６は、第３接続管９の第１口部２９および第３口部３１の対向方向Ｄ４に沿う直線と、平面視および側面視において、同一直線上に配置されている。これによって、出口側フレキシブルチューブ６は、サイクロン装置２に対して径方向に延びるように配置される。
そして、入口側フレキシブルチューブ５と出口側フレキシブルチューブ６とは、上下方向（鉛直方向）において略同一位置に配置されているとともに、入口側フレキシブルチューブ５が延びる方向Ｄ１と、出口側フレキシブルチューブ６が延びる方向Ｄ２とは、略平行である。
【００３８】
また、出口側フレキシブルチューブ６と入口側フレキシブルチューブ５とは、水平方向（出口側フレキシブルチューブ６が延びる方向Ｄ２）において、サイクロン装置２（と第１接続管７、第２接続管８および第３接続管９と）を挟むように配置されている。
出口側フレキシブルチューブ６の寸法は、固気分離兼計量装置１の処理容量やスケールなどによって適宜選択され、例えば、内径が、入口側フレキシブルチューブ５の内径と略同一である。また、出口側フレキシブルチューブ６の長さＬ２は、入口側フレキシブルチューブ５の長さＬ１と略同一である。
【００３９】
また、出口側フレキシブルチューブ６の下流側端部には、第５接続管２１の上流側端部が接続されている。
第５接続管２１は、例えば、上記と同様の剛性材料から形成されている。また、第５接続管２１の下流側端部には、吸引ブロワなどの図示しない吸引装置が接続される。
また、この固気分離兼計量装置１は、ホッパ３を支持するための支持台１５をさらに備えている。
【００４０】
支持台１５は、例えば、上記と同様の剛性材料から形成されている。支持台１５は、平面視において、サイクロン装置２の周囲に設けられている。より具体的には、支持台１５は、サイクロン装置２を囲む平面視略矩形枠形状に形成されている。支持台１５は、下支持部１６と、下支持部１６の上部に設けられる上支持部１７とを一体的に備えている。
下支持部１６は、平面視略矩形枠形状の枠部１８と、枠部１８の下側に設けられる脚部３３と、枠部１８に架設される橋部３２とを一体的に備えている。
【００４１】
枠部１８は、入口側フレキシブルチューブ５が延びる方向Ｄ１（出口側フレキシブルチューブ６が延びる方向Ｄ２）と平行して、互いに平行して対向配置される２本の第１枠部１８ａと、２本の第１枠部１８ａの長手方向両端部間を連結して、互いに平行して対向配置される２本の第２枠部１８ｂとを一体的に備えている。
一方の第１枠部１８ａ（図２の紙面下側）の上側には、その長手方向中央において、アーム部２５が対向配置されており、その対向部分には、スペーサ３６を介してロードセル４が設けられている。
【００４２】
脚部３３は、枠部１８の四隅から下垂し、脚部３３の下端部が、仮想線で示すベース３５の上面に固定されている。
橋部３２は、互いに直交する２つの枠部１８の内側（サイクロン装置２側）に、それらに対して傾斜するように２本架設されている。詳しくは、２本の橋部３２のうち、一方の橋部３２は、他方の第１枠部１８ａと一方の第２枠部１８ｂとの間に架設され、他方の橋部３２は、他方の第１枠部１８ａと他方の第２枠部１８ｂとの間に架設されている。
【００４３】
各橋部３２の上側には、その長手方向中央において、アーム部２５が対向配置されており、その対向部分には、スペーサ３６を介してロードセル４がそれぞれ設けられている。
各ロードセル４（第１枠部１８ａの上側に配置される１台のロードセル４ａおよび橋部３２の上側に配置される２台のロードセル４ｂ）は、上下方向において略同一位置に配置されている。また、橋部３２の上側に配置される２台のロードセル４ｂは、平面視において、第１枠部１８ａの上側に配置されるロードセル４ａとサイクロン装置２の軸線Ｘとを通過する直線ＳＬを中心とする線対称で配置されている。
【００４４】
そして、下支持部１６において、第１枠部１８ａおよび橋部３２の上側に配置されるロードセル４に、それらに対向配置されるアーム部２５の下面が接触する。これによって、ロードセル４は、ホッパ３を計量することができる。また、下支持部１６の第１枠部１８ａおよび橋部３２は、ロードセル４を介して、ホッパ３を支持する。
上支持部１７は、２つの第２枠部１８ｂに対応して複数（２つ）設けられる、第１の上支持部１７ａおよび第２の上支持部１７ｂを備えている。第１の上支持部１７ａおよび第２の上支持部１７ｂは、各第２枠部１８ｂの上面に設けられており、第２枠部１８ｂの上面から上方に延びる杆状に形成されている。
【００４５】
第１の上支持部１７ａは、一方の第２枠部１８ｂにおける長手方向略中央よりやや長手方向一方側にずれて配置されている。また、第２の上支持部１７ｂは、他方の第２枠部１８ｂにおける長手方向略中央に配置されている。
第１の上支持部１７ａおよび第２の上支持部１７ｂの下端部は、第２枠部１８ｂの上面にそれぞれ固定されている。また、第１の上支持部１７ａおよび第２の上支持部１７ｂの上端部には、水平方向に貫通する貫通孔３７（３７ａおよび３７ｂ）がそれぞれ形成されている。
【００４６】
第１の上支持部１７ａの貫通孔３７ａには、第４接続管２０が挿入され、これにより、第４接続管２０が、第１の上支持部１７ａに固定される。
第２の上支持部１７ｂの貫通孔３７ｂには、第５接続管２１が挿入され、これにより、第５接続管２１が第２の上支持部１７ｂに固定される。
これにより、第１の上支持部１７ａは、第４接続管２０を介して、入口側フレキシブルチューブ５の上流側端部を支持している。また、第２の上支持部１７ｂは、第５接続管２１を介して、出口側フレキシブルチューブ６の下流側端部を支持している。
【００４７】
また、上支持部１７は、サイクロン装置２を、入口側フレキシブルチューブ５が延びる方向Ｄ１（出口側フレキシブルチューブ６が延びる方向Ｄ３）において、入口側フレキシブルチューブ５および出口側フレキシブルチューブ６の収縮の範囲に対応する範囲内で揺動可能に支持している。
次に、この固気分離兼計量装置１を用いて、気体中の粉粒体を固気分離し、固気分離した粉粒体を計量する方法について説明する。
【００４８】
この方法では、まず、第５接続管２１に接続された図示しない吸引ブロワを駆動する。
これにより、第５接続管２１、出口側フレキシブルチューブ６、第３接続管９、第２接続管８、サイクロン装置２、ホッパ３、第１接続管７および第４接続管２０の内部空間が減圧となる。すると、第４接続管２０に接続された図示しない貯蔵タンクにおける粉粒体が、第４接続管２０、入口側フレキシブルチューブ５および第１接続管７を介して、空気とともにサイクロン装置２に流入する。
【００４９】
そして、サイクロン装置２において、固気分離されて、固気分離した粉粒体が、ホッパ３に落下して、ホッパ３に一時貯蔵される。一方、固気分離した空気は、第２接続管８、第３接続管９、出口側フレキシブルチューブ６および第５接続管２１を介してサイクロン装置２からその外部に排出される。
これと同時に、粉粒体が貯蔵されたホッパ３を、ロードセル４によって計量する。
【００５０】
ロードセル４によるホッパ３の計量は、吸引ブロワが駆動している間に実施する。
次いで、ロードセル４が所定量の粉粒体を計量した後、吸引ブロワの駆動を中断し、その後、排出部２４の第１排出弁２６および第２排出弁２８を開くとともに、エアバイブレータ１４を作動させて、ホッパ３に振動を付与することによって、ホッパ３に貯蔵された粉粒体を、所定量、排出部２４を介して図示しない処理装置（成形機）に搬送する。
【００５１】
固気分離兼計量装置１では、吸引ブロワを駆動させているときには、収縮自在に設けられた出口側フレキシブルチューブ６および入口側フレキシブルチューブ５がそれぞれ収縮しようする。
そして、この固気分離兼計量装置１では、出口側フレキシブルチューブ６は、入口側フレキシブルチューブ５に対してサイクロン装置２を挟むように配置され、入口側フレキシブルチューブ５と出口側フレキシブルチューブ６とが上下方向において略同一位置に配置されている。
【００５２】
そのため、出口側フレキシブルチューブ６が収縮によりサイクロン装置２を介してホッパ３に与える応力と、入口側フレキシブルチューブ５が収縮によりサイクロン装置２を介してホッパ３に与える応力とが、鉛直方向で同じ位置において作用されて、互いに打ち消される。
その結果、ホッパ３の鉛直方向の位置を安定して確保することができる。
【００５３】
また、入口側フレキシブルチューブ５が延びる方向Ｄ１に沿ってサイクロン装置２に投影したときに、その投影面内に出口側フレキシブルチューブ６の上流側端部が配置されている。
そのため、上記した吸引ブロワの駆動により、入口側フレキシブルチューブ５と出口側フレキシブルチューブ６とは、ともに収縮しても、それらの収縮により、出口側フレキシブルチューブ６がサイクロン装置２を介してホッパ３に与える応力と、入口側フレキシブルチューブ５がサイクロン装置２を介してホッパ３に与える応力とが、水平方向において互いに打ち消される。
【００５４】
その結果、ホッパ３の水平方向の位置を安定して確保することできる。
従って、ホッパ３の鉛直方向および水平方向の両方の位置を安定して確保することができ、これにより、固気分離した粉粒体を精度よく計量することができる。
また、この固気分離兼計量装置１では、入口側フレキシブルチューブ５と、出口側フレキシブルチューブ６と、ホッパ３とが、同じ支持台１５に支持されている。そのため、入口側フレキシブルチューブ５と出口側フレキシブルチューブ６とホッパ３との相対配置を精度よく確保することができる。
【００５５】
なお、上記した説明では、出口側フレキシブルチューブ６の長さＬ２と、入口側フレキシブルチューブ５の長さＬ１とを略同一に設定しているが、それらの長さは、固気分離兼計量装置１の処理容量やスケールなどによって適宜選択され、特に限定されない。
例えば、出口側フレキシブルチューブ６の長さＬ２を、入口側フレキシブルチューブ５の長さＬ１に対して、短く設定することができ、例えば、５０〜９９％の範囲内に設定することができる。
【００５６】
あるいは、出口側フレキシブルチューブ６の長さＬ２を、入口側フレキシブルチューブ５の長さＬ１に対して、長くあるいは同一長さに設定することもでき、例えば、１００〜２００％の範囲内に設定することもできる。
好ましくは、出口側フレキシブルチューブ６の長さＬ２と、入口側フレキシブルチューブ５の長さＬ１とを略同一に設定する。これにより、吸引ブロワの駆動により、入口側フレキシブルチューブ５と出口側フレキシブルチューブ６とが収縮しても、それらの長さが略同一であるため、それらの収縮の範囲が略同一である。そのため、収縮により入口側フレキシブルチューブ５がサイクロン装置２を介してホッパ３に与える応力と、収縮により出口側フレキシブルチューブ６がサイクロン装置２を介してホッパ３に与える応力とは、略同一の大きさとなり、それらは確実に打ち消される。
【００５７】
その結果、ホッパ３の水平方向および鉛直方向の位置をより一層安定して確保することできる。
また、上記した説明では、固気分離装置としてサイクロン装置２を例示しているが、例えば、粉粒体を固気分離する装置であれば特に限定されず、例えば、集塵機、具体的には、濾材として濾布などを備えるフィルタ（バグフィルタ）、あるいは、濾材としてパンチングプレートを備えるフィルタなどを用いることもできる。
【００５８】
また、上記した説明では、固気分離兼計量装置１において、吸引装置として吸引ブロワ（図示せず）を第５接続管２１の下流側端部に接続しているが、図示しないが、例えば、上記した吸引ブロワに代えて、送風装置として送風ブロワを、第４接続管２０の上流側端部に接続することもできる。
この固気分離兼計量装置１では、上記した送風ブロワの駆動により、入口側フレキシブルチューブ５と出口側フレキシブルチューブ６とは、ともに伸長しても、伸長により出口側フレキシブルチューブ６がホッパ３に与える応力と、伸長により口側フレキシブルチューブ５がホッパ３に与える応力とが、鉛直方向で同じ位置において作用されて、かつ、水平方向において互いに打ち消される。
【００５９】
そのため、ホッパ３の鉛直方向および水平方向の位置を安定して確保することができ、これにより、固気分離した粉粒体を精度よく計量することができる。
図３〜図５は、本発明の固気分離兼計量装置の他の実施形態の平面図であって、図３は、出口側フレキシブルチューブがサイクロン装置の接線方向に沿って配置される態様、図４は、入口側フレキシブルチューブと出口側フレキシブルチューブとが同一直線上に配置される態様、図５は、入口側フレキシブルチューブと出口側フレキシブルチューブとの軸線が交差する態様である。
【００６０】
なお、上記した各部に対応する部材については、以降の各図において同一の参照符号を付し、その詳細な説明を省略する。
上記した図２の説明では、第３接続管９を、第１口部２９および第３口部３１の対向方向Ｄ４が第１本体部１０の径方向に沿うように、第１本体部１０に固定しているが、例えば、図３に示すように、第１口部２９および第３口部３１の対向方向Ｄ４が、第１接続管７が第１本体部１０に接続する接線方向Ｄ３に沿うように、固定することもできる。
【００６１】
図３において、第３接続管９における第１口部２９および第３口部３１の対向方向Ｄ４と、第１接続管７が第１本体部１０に接続する接線方向Ｄ３とは、略平行である。
また、第３接続管９は、第１接続管７と、平面視において、第１本体部１０の軸線Ｘを中心とする点対称で配置されている。
また、出口側フレキシブルチューブ６が延びる方向Ｄ２は、入口側フレキシブルチューブ５が延びる方向Ｄ１と略平行であり、出口側フレキシブルチューブ６では、入口側フレキシブルチューブ５が延びる方向Ｄ１に沿ってサイクロン装置２を投影したときに、その投影面内に出口側フレキシブルチューブ６の上流側端部が配置されている。
【００６２】
また、図４に示すように、第３接続管９を、平面視において、第１接続管７と、上記した第１枠部１８ａの上側に配置されるロードセル４ａとサイクロン装置２の軸線Ｘとを通過する直線ＳＬを中心とする線対称で配置することもできる。
図４において、第３接続管９における第１口部２９および第３口部３１の対向方向Ｄ４と、第１接続管７が第１本体部１０に接続する接線方向Ｄ３とは、略平行であって、詳しくは、それらは同一直線上に配置されている。
【００６３】
換言すれば、入口側フレキシブルチューブ５と出口側フレキシブルチューブ６とは、同一直線上に配置されている。
さらに、上記した図２〜図４の説明では、平面視において、入口側フレキシブルチューブ５と出口側フレキシブルチューブ６とを、略平行に配置しているが、例えば、図５に示すように、それらの軸線が交差するように配置することもできる。
【００６４】
図５において、第３接続管９は、分岐点からＹ字状に分岐する、第１分岐管１２、第２分岐管３８および第３分岐管１３を備えるＹ字管である。
第１分岐管１２の端部には、第１口部２９が、第３接続管９の下流側端部として形成され、出口側フレキシブルチューブ６の上流側端部が接続されている。第１分岐管１２の軸線は、出口側フレキシブルチューブ６の軸線と同一直線上に配置されている。
【００６５】
第２分岐管３８の端部には、第２口部３０が、第３接続管９の上流側端部として形成され、第２接続管８の下流側端部が接続されている。
第３分岐管１３は、第１接続管７が第１本体部１０に接続する接線方向Ｄ３に沿って延びており、第３分岐管１３の端部は、第１本体部１０の外側面に固定される固定端部とされている。第３分岐管１３の軸線は、入口側フレキシブルチューブ５および第１接続管７の軸線と同一直線上に配置されている。
【００６６】
また、出口側フレキシブルチューブ６では、入口側フレキシブルチューブ５が延びる方向Ｄ１に沿ってサイクロン装置２を投影したときに、その投影面内に出口側フレキシブルチューブ６の上流側端部が配置されている。
また、入口側フレキシブルチューブ５が延びる方向Ｄ１と出口側フレキシブルチューブ６が延びる方向Ｄ２との成す角度αは、特に限定されず、例えば、０〜９０度、好ましくは、０〜４５度である。
【００６７】
好ましくは、図２〜図４に示すように、入口側フレキシブルチューブ５と出口側フレキシブルチューブ６とを、平面視において、略平行に配置する。これにより、入口側フレキシブルチューブ５の収縮方向と、出口側フレキシブルチューブ６の収縮方向とは、略平行であるので、入口側フレキシブルチューブ５および出口側フレキシブルチューブ６を、それらの軸線が交差するように配置する場合に比べて、入口側フレキシブルチューブ５および出口側フレキシブルチューブ６の収縮に基づく応力は、より一層互いに確実に打ち消される。
【００６８】
そのため、ホッパ３の水平方向の位置をより一層安定して確保することできる。
【符号の説明】
【００６９】
１    固気分離兼計量装置
２    サイクロン装置
３    ホッパ
４    ロードセル
５    入口側フレキシブルチューブ
６    出口側フレキシブルチューブ
１５  支持台
【図１】
2011020756.tif 000003
【図２】
2011020756.tif 000004
【図３】
2011020756.tif 000005
【図４】
2011020756.tif 000006
【図５】
2011020756.tif 000007